(57)【特許請求の範囲】
【請求項１】
ハードウェア処理回路を備える拡張ノードＢ（ｅＮＢ）であって、前記ハードウェア処理回路が、
コアネットワーク（ＣＮ）への第１のＳ１インターフェースの切断を検出し、
マスタ優先度に基づき、前記ｅＮＢと自律型ｅＮＢの機能を有する他のｅＮＢを含む複数のｅＮＢの中で、どのｅＮＢが自律型ｅＮＢの役割を担うべきかを評価し、前記マスタ優先度は、ｅＮＢのハードウェア、ｅＮＢのソフトウェア、ｅＮＢにより到達可能な他のｅＮＢの数、のうちの１又は複数に基づき算出され、
前記ｅＮＢが前記自律型ｅＮＢの前記役割を担うことに応じて、前記処理回路を、
少なくとも１つの他のｅＮＢとの第２のＳ１インターフェースを確立し、
前記ＣＮによって提供される機能のサブセットを前記少なくとも１つの他のｅＮＢへ提供する
ように構成し、
前記ｅＮＢが前記自律型ｅＮＢの前記役割を担わないことに応じて、前記処理回路を、
前記自律型ｅＮＢの前記役割を担っているｅＮＢとの第２のＳ１インターフェースを確立し、
前記自律型ｅＮＢに依存して、前記機能のサブセットを提供する
ように構成する
ように構成される、ｅＮＢ。
【請求項２】
前記処理回路が、
前記ｅＮＢのマスタ優先度と少なくとも１つの他のｅＮＢのマスタ優先度とを比較し、前記自律型ｅＮＢとして、最も高い関連付けられたマスタ優先度を有する前記ｅＮＢを選択する
ように構成されることによって、前記ｅＮＢが自律型ｅＮＢの前記役割を担うべきかを評価するように構成される、請求項１に記載のｅＮＢ。
【請求項３】
前記機能のサブセットが、
ネットワークアクセス制御機能、
パケットルーティング及び転送機能、
セキュリティ機能、又は、
ユーザ機器（ＵＥ）到達可能性手続き
のうちの少なくとも１つを含む、請求項１に記載のｅＮＢ。
【請求項４】
前記少なくとも１つの他のｅＮＢの前記マスタ優先度が、前記ｅＮＢによって算出される、請求項２に記載のｅＮＢ。
【請求項５】
前記少なくとも１つの他のｅＮＢの前記マスタ優先度が、前記Ｓ１インターフェースが切断される前に予め割り当てられる、請求項２に記載のｅＮＢ。
【請求項６】
前記少なくとも１つの他のｅＮＢの前記マスタ優先度が、前記Ｓ１インターフェースが切断された後に算出される、請求項４に記載のｅＮＢ。
【請求項７】
拡張ノードＢ（ｅＮＢ）によって行われる方法であって、
コアネットワーク（ＣＮ）への第１のＳ１インターフェースの切断を検出するステップと、
マスタ優先度に基づき、前記ｅＮＢと自律型ｅＮＢの機能を有する他のｅＮＢを含む複数のｅＮＢの中で、自律型ｅＮＢとなるべきｅＮＢを選択するステップであって、前記マスタ優先度は、ｅＮＢのハードウェア、ｅＮＢのソフトウェア、ｅＮＢにより到達可能な他のｅＮＢの数、のうちの１又は複数に基づき算出される、ステップと、
前記自律型ｅＮＢとの第２のＳ１インターフェースを確立するステップと、
前記自律型ｅＮＢに依存して、前記ＣＮによって提供される機能のサブセットを提供するステップと
を含む、方法。
【請求項８】
前記自律型ｅＮＢとなるべき前記ｅＮＢを選択するステップが、
前記自律型ｅＮＢとして用いられるべきｅＮＢの前記マスタ優先度を取得するステップと、
Ｓ１セットアップ要求メッセージを前記自律型ｅＮＢへ送信するステップと
を含む動作を実行することによって行われる、請求項７に記載の方法。
【請求項９】
Ｓ１セットアップ応答メッセージを前記自律型ｅＮＢから受信するステップをさらに含む、請求項７に記載の方法。
【請求項１０】
前記自律型ｅＮＢとなるべき前記ｅＮＢを選択するステップが、
第２のｅＮＢに対して関連付けられたマスタ優先度を含む第１のメッセージを前記第２のｅＮＢから受信するステップと、
前記第２のｅＮＢを前記自律型ｅＮＢとして用いるために、Ｓ１セットアップ要求メッセージを前記第２のｅＮＢへ送信するステップと
を含む動作を実行することによって行われる、請求項７に記載の方法。
【請求項１１】
前記自律型ｅＮＢとなるべき前記ｅＮＢを選択するステップが、
第３のｅＮＢに対して関連付けられたマスタ優先度を含む第２のメッセージを前記第３のｅＮＢから受信するステップと、
前記第２のｅＮＢ及び前記第３のｅＮＢのうちで、最も高い関連付けられたマスタ優先度を有するｅＮＢを前記自律型ｅＮＢとして選択するステップと、
Ｓ１セットアップ要求メッセージを前記選択された自律型ｅＮＢへ送信するステップと、
を含む動作を実行することによって行われる、請求項１０に記載の方法。
【請求項１２】
前記ＣＮへの前記第１のＳ１インターフェースが利用可能であることを検出するステップと、
Ｓ１セットアップ要求メッセージを前記ＣＮへ送信するステップと、
Ｓ１切断要求メッセージを前記自律型ｅＮＢへ送信するステップと、
をさらに含む、請求項７に記載の方法。
【請求項１３】
コンピュータプログラムであって、拡張ノードＢ（ｅＮＢ）に、
コアネットワーク（ＣＮ）への第１のＳ１インターフェースの切断を検出させ、
マスタ優先度に基づき、前記ｅＮＢと自律型ｅＮＢの機能を有する他のｅＮＢを含む複数のｅＮＢの中で、自律型ｅＮＢとなるべきｅＮＢを選択させ、前記マスタ優先度は、ｅＮＢのハードウェア、ｅＮＢのソフトウェア、ｅＮＢにより到達可能な他のｅＮＢの数、のうちの１又は複数に基づき算出され、
前記ｅＮＢが前記自律型ｅＮＢとして選択されたことに応じて、前記ＣＮによって提供される能力のサブセットを実装することを通知する第１のメッセージを送信させ、
第２のｅＮＢとの第２のＳ１インターフェースを確立させ、
前記能力のサブセットを前記第２のｅＮＢへ提供させる、
コンピュータプログラム。
【請求項１４】
前記能力のサブセットは、
ネットワークアクセス制御機能、
パケットルーティング及び転送機能、
セキュリティ機能、又は、
ユーザ機器（ＵＥ）到達可能性手続き、
のうちの少なくとも１つを含む、請求項１３に記載のコンピュータプログラム。
【請求項１５】
前記第１のメッセージは、  前記マスタ優先度を含む、請求項１３に記載のコンピュータプログラム。
【請求項１６】
前記マスタ優先度は、前記Ｓ１インターフェースが切断される前に予め割り当てられる、請求項１５に記載のコンピュータプログラム。
【請求項１７】
前記マスタ優先度は、前記Ｓ１インターフェースが切断された後に算出される、請求項１５に記載のコンピュータプログラム。
【請求項１８】
前記ｅＮＢに、さらに、自律型ｅＮＢの役割を担う第３のｅＮＢの優先度を識別する、前記第３のｅＮＢのマスタ優先度を含む第２のメッセージを前記第３のｅＮＢから受信させる、
請求項１３に記載のコンピュータプログラム。
【請求項１９】
ｅＮＢであって、
少なくとも１つのアンテナと、
前記少なくとも１つのアンテナに対して結合される送受信器回路と、
メモリと、
前記メモリ及び前記送受信器回路に対して結合されるプロセッサと、
前記メモリ内に記憶される命令とを備え、前記命令は、実行されると、前記プロセッサに、
コアネットワーク（ＣＮ）への第１のＳ１インターフェースの切断を検出させ、
マスタ優先度に基づき、前記ｅＮＢと自律型ｅＮＢの機能を有する他のｅＮＢを含む複数のｅＮＢの中で、自律型ｅＮＢとなるべきｅＮＢを選択させ、前記マスタ優先度は、ｅＮＢのハードウェア、ｅＮＢのソフトウェア、ｅＮＢにより到達可能な他のｅＮＢの数、のうちの１又は複数に基づき算出され、
メッセージを前記自律型ｅＮＢへ送信させて、前記自律型ｅＮＢとの第２のＳ１インターフェースを確立させる、ｅＮＢ。
【請求項２０】
前記命令が実行されると、前記命令は、前記プロセッサにさらに、
前記第２のＳ１インターフェースの確立が成功したかを判定させ、
前記第２のＳ１インターフェースの確立が成功しなかったという判定に応じて、異なる自律型ｅＮＢを選択させ、第２のメッセージを前記異なる自律型ｅＮＢへ送信させて、前記異なる自律型ｅＮＢとの前記第２のＳ１インターフェースを確立させる、請求項１９に記載のｅＮＢ。
【請求項２１】
請求項１３乃至１８のいずれか一項に記載のコンピュータプログラムを記憶したコンピュータ可読記憶媒体。
【発明の詳細な説明】
【技術分野】
【０００１】
本出願は、２０１４年６月２７日に出願された米国特許出願第１４／３１８，３５１号の優先権の利益を主張し、この米国特許出願は、２０１４年１月６日に出願された米国仮特許出願第６１／９２４，１９４号の優先権の利益を主張し、これらの米国特許出願の各々は、その全体が参照によって本明細書に組み込まれる。
【０００２】
実施形態は、無線通信に関し、より具体的には、コアネットワークの要素が利用不可能である場合に、拡張ノードＢ（ｅＮＢ：Ｅｎｈａｎｃｅｄ  Ｎｏｄｅ  Ｂ）を自律モードにおいて動作させることに関する。
【背景技術】
【０００３】
現行の進化型ユニバーサルモバイルテレコミュニケーションシステム（ＵＴＭＳ：ｕｎｉｖｅｒｓａｌ  ｍｏｂｉｌｅ  ｔｅｌｅｃｏｍｍｕｎｉｃａｔｉｏｎ  ｓｙｓｔｅｍ）地上無線アクセスネットワーク（Ｅ−ＵＴＲＡＮ：ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ）の一部である拡張ノードＢ（ｅＮＢ）は、ユーザ機器（ＵＥ：ｕｓｅｒ  ｅｑｕｉｐｍｅｎｔ）にサービスを提供するために、コアネットワーク（例えば、進化型パケットコア）要素へ接続されなければならない。コアネットワーク要素から分離されたｅＮＢは、機能することができず、ＵＥに対してサービスを提供することができない。
【図面の簡単な説明】
【０００４】
【図１】コアネットワーク要素へ接続されるｅＮＢを有する例示的な無線ネットワークを例示する図である。
【図２】ｅＮＢとコアネットワーク要素とを接続するために用いられるインターフェースの例を例示する図である。
【図３】コアネットワークへの接続が断絶された後に、レジリエントモード（ｒｅｓｉｌｉｅｎｔ  ｍｏｄｅ）において動作するネットワークの例を例示する図である。
【図４】レジリエントモードにおけるネットワーク確立動作の例を例示する図である。
【図５】レジリエントモードにおけるｅＮＢ確立動作についての例示的なフロー図を例示する図である。
【図６】レジリエントモードにおけるｅＮＢ確立動作についての例示的なフロー図である。
【図７】レジリエントモードにおけるネットワーク確立動作の例を表す図である。
【図８】コアネットワーク要素へのネットワーク再確立接続及びレジリエントモードにおける動作の停止の例を表す図である。
【図９】いくつかの実施形態に係る例示的なシステムのシステムブロック図を例示する図である。
【発明を実施するための形態】
【０００５】
下記の説明及び図面は、具体的な実施形態を十分に例示して、当業者がそれらを実施することを可能にする。他の実施形態は、構造的変更、論理的変更、電気的変更、処理的変更、及び他の変更を組み込み得る。いくつかの実施形態の部分及び特徴は、他の実施形態の部分及び特徴に含まれてもよく、又は、他の実施形態の部分及び特徴と置換されてもよい。請求項において述べられる実施形態は、それらの請求項の全ての考え得る均等物を包含する。
【０００６】
実施形態に対する様々な変形は、当業者には容易に明らかとなり、本明細書において定義される一般的な原理は、本発明の範囲から逸脱することなく、他の実施形態及び適用例に対して適用され得る。さらに、下記の説明においては、多くの詳細が、説明の目的のために述べられる。しかしながら、当業者は、本発明の実施形態がそうした具体的な詳細を用いずに実施され得ることを認識するであろう。他の例において、周知の構造及びプロセスは、本発明の実施形態の説明を不必要な詳細によって曖昧にしないために、ブロック図の形態において示されていない。したがって、本開示は、図示される実施形態に限定されることを意図されず、本明細書において開示される原理及び特徴と一致する最も広い範囲と合致すべきである。
【０００７】
コアネットワーク（ＣＮ：ｃｏｒｅ  ｎｅｔｗｏｒｋ）要素への接続が失われる場合、本明細書において説明される実施形態は、レジリエントモードにおいて動作することを開始する。レジリエントモードは、ＣＮへの接続が利用不可能であっても、そうしたレジリエントモードネットワークが何らかの手法でＵＥにサービスを提供することを可能にする。そうしたレジリエントモードは、例えば、１つ又は複数の拡張ノードＢ（ｅＮＢ）をＣＮから分離する災害の際に公衆安全デバイスへのサービスを可能にする。デバイスが、レジリエントモードネットワーク（例えば、分離されたＥ−ＵＴＲＡＮ）のカバレッジエリア外のユーザ／ＵＥと通信することができないことがあっても、レジリエントモードネットワークエリア内のＵＥは、依然として互いに通信することができる。分離されたＥ−ＵＴＲＡＮの使用は、特に、エリアが大きい場合に、デバイスツーデバイス通信よりも良好な信頼性及びカバレッジを有し得る。さらに、Ｅ−ＵＴＲＡＮの一部を分離する災害又は他の事象の際に代替的な通信のモードを提供することは、通信の安全性及び信頼性を増加させる。
【０００８】
図１は、コアネットワーク要素へ接続されるｅＮＢを有する例示的な無線ネットワーク１００を例示する。この例において、時には進化型パケットコア（ＥＰＣ：Ｅｖｏｌｖｅｄ  Ｐａｃｋｅｔ  Ｃｏｒｅ）と称されることもあるコアネットワーク（ＣＮ）１２８は、３つのエンティティ、即ち、モビリティ管理エンティティ（ＭＭＥ：Ｍｏｂｉｌｉｔｙ  Ｍａｎａｇｅｍｅｎｔ  Ｅｎｔｉｔｙ）１１４と、サービングゲートウェイ（ＳＧＷ：Ｓｅｒｖｉｎｇ  Ｇａｔｅｗａｙ）１１８と、パケットデータネットワークゲートウェイ（ＰＧＷ：Ｐａｃｋｅｔ  Ｄａｔａ  Ｎｅｔｗｏｒｋ  Ｇａｔｅｗａｙ）１１８と、ホーム加入者サービス（ＨＳＳ：Ｈｏｍｅ  Ｓｕｂｓｃｒｉｂｅｒ  Ｓｅｒｖｉｃｅ）１３０とを備えるものとして例示される。これらのエンティティは、典型的には、ＭＭＥ１１４がＳＧＷ１１８とＳ１１インターフェース１２２上で通信し、ＳＧＷ１１８がＰＧＷ１１６とＳ５／８インターフェース１２０上で通信する状態で、例示されたインターフェース上で通信する。ＭＭＥ１１４は、ＨＳＳ１３０ともＳ６ａインターフェース１３２上で通信する。ＣＮ１２８のこれらのエンティティの機能は、当業者にとって周知であり、ここでは繰り返し説明される必要がない。しかしながら、本開示にとって重要となる、ＣＮによって提供される機能及び手続きのサブセットは、１）ネットワークアクセス制御機能、２）パケットルーティング及び転送機能、３）セキュリティ機能、並びに４）ユーザ機器（ＵＥ）到達性手続き（ｒｅａｃｈａｂｉｌｉｔｙ  ｐｒｏｃｅｄｕｒｅ）を含む。このサブセットは、あるＵＥがカバレッジエリア内の別のＵＥと通信することを可能にする。
【０００９】
図１は、３つのｅＮＢ１０４、１０６、及び１０８も例示する。各ｅＮＢ１０４、１０６、及び１０８は、それ自体のＳ１インターフェースを通じてＣＮ１２８へ接続される。例示される例において、各ｅＮＢ１０４、１０６、及び１０８は、それ自体のＳ１−ＭＭＥインターフェース（簡単のため、１２４として例示される）を通じてＭＭＥ１１４へ接続され、また、それ自体のＳ１−Ｕインターフェース（簡単のため、１２６と例示される）を通じてＳＧＷ１１８へ接続される。これらのインターフェースにより、ＣＮ１２８のエンティティ並びにｅＮＢ１０４、１０６、及び１０８が、このような無線ネットワークについて仕様化されている全ての機能性を提供することが可能になる。
【００１０】
ｅＮＢは、ＵＥとＵｕエアインターフェース上で通信する。図１において、代表的な例は、ｅＮＢ１０４がＵＥ１０２とＵｕインターフェース１１０上で通信するものである。ｅＮＢは、互いにＸ２インターフェース上で通信する。図１において、代表的な例は、ｅＮＢ１０４がｅＮＢ１０６とＸ２インターフェース１１２上で通信するものである。
【００１１】
図２は、ｅＮＢとコアネットワーク要素とを接続するために用いられるインターフェースの例を例示する。全体的に２００として示される、この例において、３つのｅＮＢ（例えば、ｅＮＢ１  ２０２、ｅＮＢ２  ２０４、ｅＮＢ３  ２０６）は、ＣＮ２１２の要素と、指定されたインターフェースを通じて通信する。ＣＮ２１２は、ＭＭＥ２０８及びＳＧＷ２１０などの代表的なエンティティを有する。ｅＮＢ１  ２０２、ｅＮＢ２  ２０４及びｅＮＢ３  ２０６は、ＭＭＥ２０８と個々のＳ１−ＭＭＥインターフェース２１４上で通信する。ｅＮＢ１  ２０２、ｅＮＢ２  ２０４及びｅＮＢ３  ２０６は、ＳＧＷ２１０と個々のＳ１−Ｕインターフェース２１６上で通信する。ｅＮＢ１  ２０２、ｅＮＢ２  ２０４及びｅＮＢ３  ２０６は、互いに個々のＸ２インターフェース２１８上で通信する。これは、代表的なネットワークについての通常の動作状態を表す。
【００１２】
様々なｅＮＢ間のＸ２インターフェース２１８は、典型的には、無線技術（例えば、マイクロ波又は他の無線技術）を用いて提供される。しかしながら、Ｓ１インターフェースは、典型的には、固定電話回線（例えば、光ファイバ若しくは他のケーブル）上で提供され、又は少なくとも固定電話回線要素を有する。
【００１３】
Ｓ１インターフェース（例えば、Ｓ１−ＭＭＥ２１４及びＳ１−Ｕ２１６）を断絶し、ｅＮＢ１  ２０２、ｅＮＢ２  ２０４及びｅＮＢ３  ２０６をＣＮ２１２から分離する災害又は他の事象が発生した場合、Ｘ２インターフェース２１８が損傷を受けず、さもなければｅＮＢ１  ２０２、ｅＮＢ２  ２０４及びｅＮＢ３  ２０６が機能していても、ｅＮＢ１  ２０２、ｅＮＢ２  ２０４及びｅＮＢ３  ２０６は、従来のネットワークにおいてＵＥとの通信を提供することができない。
【００１４】
本開示の実施形態は、そうした状況（例えば、Ｓ１インターフェースが切断される一方で、Ｘ２インターフェースは損傷を受けず、及び／又は、さもなければｅＮＢは機能している）の際にレジリエントモードにおいて動作することができる。レジリエントモードにおいて、１つ又は複数のｅＮＢは、自律モードにおいて動作することができ、ＣＮ機能性のサブセットをレジリエントモードネットワークのカバレッジエリア内のＵＥに提供する。これは、多様な状況において、例えば、レジリエントモードネットワーク（例えば、分離されたＥ−ＵＴＲＡＮ）カバレッジエリア内の第１応答者と他の個人との間の緊急通信においてなど、有益となり得る。したがって、カバレッジエリア内のＵＥがそのカバレッジエリア外のネットワーク／ＵＥと通信することができなくても、レジリエントモードネットワークにおけるＵＥは、依然として互いに通信することが可能である。
【００１５】
図３は、ＣＮ３１２への接続３１４／３１６が切断された後にレジリエントモードにおいて動作するネットワーク３００の例を例示する。図３の例において、コアネットワーク３１２は、ＭＭＥ３０８及びＳＧＷ３１０によって例示される。図３の３つのｅＮＢ、即ち、ｅＮＢ１  ３０２、ｅＮＢ２  ３０４及び自律型ｅＮＢ  ３０６は、ＣＮ３１２エンティティと、Ｓ１−ＭＭＥインターフェース３１４及びＳ１−Ｕインターフェース３１６を介して通常動作中に通信する。ｅＮＢ１  ３０２、ｅＮＢ２  ３０４及び自律型ｅＮＢ  ３０６は、互いにＸ２インターフェース（図示せず）を介して通常動作中に通信する。通常動作中に、自律型ｅＮＢ  ３０６は、ネットワーク内の任意の他のｅＮＢと同じように動作する。
【００１６】
大きな黒い棒３２４は、Ｓ１インターフェース３１４及び３１６の切断を例示する。これは、ｅＮＢ１  ３０２、ｅＮＢ２  ３０４及び自律型ｅＮＢ  ３０６をＣＮ３１２から分離する。したがって、ネットワークの通常動作は提供され得ない。
【００１７】
しかしながら、図３の例において、自律型ｅＮＢ  ３０６は、そのＳ１−ＭＭＥインターフェース３１４及び／又はＳ１−Ｕインターフェース３１６の切断を検出することができる。Ｓ１インターフェース３１４／３１６が故障すると、自律型ｅＮＢ  ３０６は、ＣＮ３１２によって提供される機能性のサブセットを提供して、レジリエントモードにあるネットワークの動作を可能にする。提供される機能性のサブセットは、１）ネットワークアクセス制御機能、２）パケットルーティング及び転送機能、３）セキュリティ機能、又は、４）ユーザ機器（ＵＥ）到達性手続きのうちの少なくとも１つを含む。機能のサブセットを提供することは、自律型ｅＮＢ  ３０６が、ＣＮ３１２によって提供されるそうした機能をレジリエントネットワークカバレッジエリア（例えば、レジリエントネットワークを形成するｅＮＢのカバレッジエリア）内のＵＥ通信のために置換することを可能にする。機能のサブセットを提供して、ＣＮ３１２によって提供されるそうした機能を置換する際に、自律型ｅＮＢ  ３０６は、全く同じ機能性を全く同じ手法で全ての機能について提供しないことがあり得る。いくつかの実施形態は、その機能性が本来のＣＮ機能性とは同一ではなくても、置換機能を実装して、レジリエントモードネットワークについての充分な機能性を提供する。例えば、いくつかの実施形態は、ＣＮによって提供されるセキュリティ機能とは異なるセキュリティ機能、例えば、ＵＥとＨＳＳとの間で共有される秘密に依存しない証明書又は他の方策の使用などを実装する。別の例として、パケットは、レジリエントモードネットワーク外へはルーティングされないため、パケットルーティングは、別様に実装される。
【００１８】
レジリエントネットワークカバレッジエリアは、他のｅＮＢが自律モードｅＮＢへ接続して、レジリエントネットワークを形成することができない場合には、自律モードｅＮＢのカバレッジエリアとなるにすぎないことも、又は、自律モードｅＮＢへ接続して、レジリエントネットワークを形成する全てのｅＮＢのカバレッジエリアとなることもある。
【００１９】
レジリエントモードにおいて、ｅＮＢ１  ３０２及びｅＮＢ２  ３０４は、自律モードｅＮＢ３０６とのＳ１インターフェースを確立する。したがって、図３の例において、ｅＮＢ１  ３０２及びｅＮＢ２  ３０４は、自律型ｅＮＢ３０６とのＳ１−ＭＭＥインターフェース３１８及びＳ１−Ｕインターフェース３２２を有する。ｅＮＢ１  ３０２及びｅＮＢ２  ３０４は、これらの間にＸ２インターフェース３２０も保持する。いくつかの実施形態において、自律モードｅＮＢ３０６は、Ｓ１−ＭＭＥインターフェース及び／又はＳ１−Ｕインターフェースを用いて、ｅＮＢ１  ３０２及び／又はｅＮＢ２  ３０４と、通常はＸ２インターフェース上で通信される情報を通信する。他の実施形態において、自律モードｅＮＢ３０６が、別のｅＮＢ（例えば、ｅＮＢ１  ３０２及び／又はｅＮＢ２  ３０４）との既存のＸ２インターフェースを有する場合、自律モードｅＮＢ３０６は、新たに確立されたＳ１−ＭＭＥインターフェース及び／又はＳ１−Ｕインターフェースに加えて、Ｘ２インターフェースを維持する。
【００２０】
図４は、レジリエントモードにおいて動作を確立するネットワーク４００の例を例示する。この例においては、３つのｅＮＢ、即ち、ｅＮＢ１  ４０２、ｅＮＢ２  ４０４及び自律型ｅＮＢ４０６が存在する。ただし、他の例においては、より多くの数のｅＮＢ、又は、より少ない数のｅＮＢが存在し得る。この例において、ｅＮＢ４０２、４０４及び４０６は、それらのＳ１インターフェースの切断を、動作４０８、４１０及び４１２において検出する。これは、ｅＮＢ４０２、４０４及び４０６をコアネットワークから分離し、通常動作を不可能にする。
【００２１】
この時点で、自律動作が可能なｅＮＢのうちの１つ又は複数は、上記に議論されたようなＣＮ機能のサブセットを提供するために介入する。異なる実施形態がどのｅＮＢが自律モードにおいて動作すべきかを判定する様々な手法が存在することは、下記に議論される。図４に図示される１つのオプションは、自律動作が可能なｅＮＢがその能力を到達可能な他のｅＮＢへそれらのＸ２インターフェース上で通知することである。図４の具体的な例において、自律型ｅＮＢ４０６は、Ｘ２ＡＰ自律能力通知メッセージ（Ａｕｔｏｎｏｍｏｕｓ  Ｃａｐａｂｉｌｉｔｙ  Ａｄｖｅｒｔｉｓｅｍｅｎｔ  ｍｅｓｓａｇｅ）をｅＮＢ１  ４０２及びｅＮＢ２  ４０４へこれらのｅＮＢとのＸ２インターフェース上で送信することによって、その能力を通知する。
【００２２】
Ｘ２ＡＰ自律能力通知メッセージは、受信側ｅＮＢによって送信側ｅＮＢとのＳ１接続を確立するために必要とされる情報を含み、複数のｅＮＢが自律モード能力を有する場合に、どのｅＮＢが自律型ｅＮＢとなるべきかを選択するために必要とされる情報も含み得る。１つの代表的な実施形態において、Ｘ２ＡＰ自律能力通知メッセージは、Ｓ１転送ネットワーク層（ＴＮＬ：Ｔｒａｎｓｐｏｒｔ  Ｎｅｔｗｏｒｋ  Ｌａｙｅｒ）アドレス、及び／又は、自律型ｅＮＢの役割を担うべき送信側ｅＮＢの他のｅＮＢに対する優先度を表す優先度値（しばしば本明細書において「マスタ優先度」と称される）を含む。Ｓ１  ＴＮＬアドレスにより、他のｅＮＢは、関連付けられたｅＮＢに対してＳ１−ＭＭＥ接続及び／又はＳ１−Ｕ接続を開くことが可能になる。優先度は、複数のｅＮＢが自律能力を有する場合に、どのｅＮＢが自律型ｅＮＢの役割を担うべきかを選択するための１つの手法である。
【００２３】
優先度スキームが用いられる場合、いくつかの実施形態は、Ｓ１リンクが利用可能である間にマスタ優先度を割り当てる。例えば、優先度は、運用及び管理（ＯＡＭ：ｏｐｅｒａｔｉｏｎｓ  ａｎｄ  ｍａｎａｇｅｍｅｎｔ）を用いて割り当てられる。他の実施形態において、マスタ優先度は、ランダムな手法又は半ランダムな手法で割り当てられ、その結果、自律能力を有する２つのｅＮＢは、これらが互いにＸ２インターフェース上で通信することができる場合に、同じ優先度を割り当てられない。
【００２４】
マスタ優先度を割り当てる（又は、後述されるように、算出する）場合、多少の局所性要素が存在する。２つのｅＮＢが同じレジリエントモードネットワーク内に収まる可能性がない（又は非常に低い）（例えば、一方は英国に位置し、他方はオーストラリアに位置する）場合、２つのｅＮＢに同じマスタ優先度を割り当てることができない技術的理由はない。
【００２５】
またさらなる実施形態において、マスタ優先度は、ｅＮＢによって、２つのｅＮＢが同じ優先度を算出することを排除する手法で算出される。また他の実施形態において、マスタ優先度は、ｅＮＢが任意の特定のｅＮＢについて同じ優先度を算出する手法で算出される。これらの実施形態において、ｅＮＢは、それら自体のマスタ優先度だけでなく、他のｅＮＢのマスタ優先度も同様に算出することができる。この場合においては、Ｘ２インターフェース上で通信することができる２つのｅＮＢが同じマスタ優先度を算出しないような算出が行われる。優先度がいかなる実施形態において算出される場合も、優先度を算出するために必要とされる情報がＣＮからの情報に左右されない限り、優先度は、Ｓ１インターフェースが失われた後に算出され得る。
【００２６】
優先度の算出は、任意の情報、例えば、容量、ｅＮＢハードウェア／ソフトウェア、ｅＮＢの１つ又は複数の特性（一意のアドレス又は識別子など）、ｅＮＢによって到達可能な他のｅＮＢの数等に基づき得る。優先度を算出するために用いられる情報は、優先度算出を行うｅＮＢによって知得され、又は共有されさえすればよい。
【００２７】
適当な自律型ｅＮＢを選択するための他の実施形態は、下記に議論される。
【００２８】
図４の例において、ｅＮＢ１  ４０２及びｅＮＢ２  ４０４は、これらが自律型ｅＮＢとしてどのｅＮＢを用いるかを、本明細書において説明される任意の手法で選択する。これは、動作４１６において図示される。自律型ｅＮＢ４０６が、ｅＮＢ１  ４０２及びｅＮＢ２  ４０４によって到達可能な唯一のｅＮＢである場合、これらが自律型ｅＮＢ４０６を唯一の到達可能な自律型ｅＮＢとして選択するという点において、選択ロジックは単純となる。ｅＮＢ１  ４０２及びｅＮＢ２  ４０４が、Ｘ２ＡＰ自律能力通知メッセージを、自律能力を提供することが可能な複数のｅＮＢから受信する場合、ｅＮＢ１  ４０２及びｅＮＢ２  ４０４は、相対的に最も高い優先度のｅＮＢを自律型ｅＮＢに選択する。
【００２９】
いったん自律型ｅＮＢが選択されると、ｅＮＢ１  ４０２及びｅＮＢ２  ４０４は、Ｓ１セットアップ要求メッセージ４１８及びＳ１セットアップ応答メッセージ４２０を用いて、Ｓ１インターフェースをセットアップする。本開示のいくつかの実施形態は、ＣＮとのＳ１−ＭＭＥインターフェース及びＳ１−Ｕインターフェースをセットアップするために用いられるものと同じメッセージ及びプロトコルを用いる。したがって、交換（例えば、４１８及び４２０）の終了までに、ｅＮＢ１  ４０２及びｅＮＢ２  ４０４は、自律型ｅＮＢ４０６とのＳ１−ＭＭＥインターフェース及びＳ１−Ｕインターフェースをセットアップ済みである。次いで、ネットワークは、動作４２２によって示されるように、レジリエントモードにおいて動作し始める。
【００３０】
図５は、レジリエントモードにおいて動作を確立する自律モードｅＮＢについての例示的なフロー図５００を例示する。この実施形態は、優先度スキームを利用して、レジリエントネットワーク内の自律型ｅＮＢを選択する。したがって、特定のｅＮＢが自律モードにおいて動作可能であっても、この例示的なフロー図に図示されるように、その特定のｅＮＢは選択されないことがある。本図は、動作５０２において開始し、動作５０４において、Ｓ１インターフェースの切断を検出する。Ｓ１インターフェースの切断を検出することは、インターフェースの切断を検出することができる任意の手法で行われる。インターフェースの切断を検出するための典型的な手法は、タイムアウトカウンタ、期待される事象（例えば、データ、応答等の受信の不具合又は不発生、これらの組合せ等を含む。
【００３１】
動作５０６において、ｅＮＢは、そのＴＮＬアドレス及びマスタ優先度を識別する。この後者の場合において、マスタ優先度は、上述されたように、実施形態に応じて、割り当てられ、又は算出され得る。
【００３２】
動作５０８において、ｅＮＢは、そのＳ１  ＴＮＬアドレス及びマスタ優先度を、他のｅＮＢへＸ２インターフェース上で送信する。これは、いくつかの実施形態において、前述されたように、Ｘ２ＡＰ自律能力通知メッセージを用いて達成される。ｅＮＢは、動作５１０において例示されるように、他のｅＮＢのＳ１  ＴＮＬアドレス及びマスタ優先度を（おそらくはＸ２ＡＰ自律能力通知メッセージ内で）受信する。これらの２つの動作は、任意の順序で発生し得ることに留意されたい。なぜなら、Ｘ２ＡＰ自律能力通知メッセージを送信することと、他のｅＮＢのＳ１  ＴＮＬアドレス及びマスタ優先度を受信することとは、非同期的な動作であるためである。
【００３３】
いったんｅＮＢが、それ自体のマスタ優先度と、他のｅＮＢの優先度とを有すると、ｅＮＢは、（このｅＮＢ自体を含めて）自律動作が可能なｅＮＢのうちのどれがレジリエントネットワークについての自律型ｅＮＢとして選択されるかを判定し得る。この動作は、５１２において例示される。５１２において、ｅＮＢは、このｅＮＢ又は別のｅＮＢがレジリエントネットワークについての自律型ｅＮＢとなるべきかを判定する。
【００３４】
ｅＮＢが、（マスタ優先度に基づく）自律型ｅＮＢである場合、動作５１４からは分岐「はい」が取られ、動作５２６において、ｅＮＢは、Ｓ１セットアップ要求メッセージを他のｅＮＢから受信し、動作５２８において、他のｅＮＢとの適当なＳ１インターフェース（例えば、Ｓ１−ＭＭＥ及び／又はＳ１−Ｕ）を、例えば、Ｓ１セットアップ応答メッセージを通じて確立する。動作５２６及び動作５２８は、他のｅＮＢが自律型ｅＮＢの選択を行い、Ｓ１セットアップ要求メッセージを送信するにつれて、繰り返し実行され得ることに留意されたい。
【００３５】
ｅＮＢが、マスタ優先度に基づく自律型ｅＮＢではない場合、動作５１４からは分岐「いいえ」が取られ、動作５１８において、ｅＮＢは、Ｓ１セットアップ要求メッセージを、選択された自律型ｅＮＢへ送信し、動作５２０において、自律型ｅＮＢとのＳ１インターフェースを、例えば、Ｓ１セットアップ応答メッセージの受信を通じて確立する。
【００３６】
本フロー図は、ｅＮＢがレジリエントモード動作へ移行するにつれて、動作５２２において終了する。
【００３７】
図６は、いくつかの実施形態に係る、レジリエントモードにおいて動作を確立するｅＮＢについての例示的なフロー図６００である。本図は、自律モード能力を有するｅＮＢと、自律型ｅＮＢを選択し、選択された自律型ｅＮＢとのＳ１インターフェースを確立する、自律モード能力を有しないｅＮＢとの双方に適する。
【００３８】
本図は、動作６０２において始まり、動作６０４へ進む。動作６０４において、ｅＮＢは、Ｓ１インターフェース（例えば、Ｓ１−ＭＭＥ及び／又はＳ１−Ｕ）の切断を検出する。既述されたように、Ｓ１インターフェースの切断を検出するいかなる方法も、本明細書において開示される実施形態に適する。インターフェースの切断を検出するための典型的な手法は、タイムアウトカウンタ、期待される事象（例えば、データ、応答等の受信）の不具合又は不発生、これらの組合せ等を含む。
【００３９】
動作６０６において、ｅＮＢは、適当なＳ１  ＴＮＬ及び／又はマスタ優先度を識別する。いくつかの実施形態において、マスタ優先度は用いられない。こうした実施形態において、どのｅＮＢが自律型ｅＮＢとして用いられるべきかという選択は、予め設定されており、その結果、各ｅＮＢは、Ｓ１インターフェースの切断が発生する前に、どのｅＮＢが自律型ｅＮＢとなるべきかを知得している。さらに他の実施形態において、自律型ｅＮＢは、マスタ優先度以外の方法を用いて、例えば、下記に説明されるようにランダムに選択される。いくつかの実施形態において、ＴＮＬ及び／又はマスタ優先度は、ｅＮＢによって知得され及び／又は算出され、したがって、マスタ優先度は、ｅＮＢによって受信される必要がない。例えば、Ｓ１  ＴＮＬ及び／又はマスタ優先度が、例えば、上記で議論されたように予め割り当てられている場合、ｅＮＢは、記憶された又は利用可能な様々な自律モード対応のｅＮＢのＳ１  ＴＮＬ及び／又はマスタ優先度を有する。他の実施形態において、マスタ優先度は、上記で議論されたように算出される。さらに他の実施形態において、Ｓ１  ＴＮＬ及び／又はマスタ優先度は、他のｅＮＢからのメッセージを介して、例えば、Ｘ２ＡＰ自律能力通知メッセージ内で受信される。
【００４０】
動作６０７において、ｅＮＢは、自律モードｅＮＢを、指定された方法を用いて選択する。いくつかの実施形態においては、最も高いマスタ優先度を有するｅＮＢが選択される。他の実施形態において、自律モードｅＮＢは、図６のフロー図を実行するｅＮＢについて、例えば、Ｓ１インターフェースの切断が発生する前などに、予め選択される。さらに他の実施形態において、ｅＮＢは、全ての利用可能な自律モードｅＮＢとのコンタクトを確立する。またさらなる実施形態において、代替的な自律型ｅＮＢは、（潜在的な自律型ｅＮＢの候補のリストから）ランダムに選択される。
【００４１】
動作６０８において、ｅＮＢは、選択された自律モードｅＮＢとのＳ１接続を、例えば、Ｓ１セットアップ要求メッセージを用いて確立する。その結果、例えば、Ｓ１セットアップ応答メッセージを受信することを通じて、Ｓ１接続が確立される。次いで、本方法は、動作６１０において示されるように終了し、ｅＮＢは、レジリエントモード動作に移行する。
【００４２】
図７は、レジリエントモードにおいて動作を確立するネットワーク７００の例を表す。ネットワークは、ｅＮＢ１  ７０２と、ｅＮＢ２  ７０４と、自律モードｅＮＢ７０６とを備える。動作７０８において、ｅＮＢ１  ７０２及びｅＮＢ２  ７０４は、これらのＳ１インターフェースが切断された場合には自律モードｅＮＢ７０６を用いるように予め設定される。いくつかの実施形態において、複数の潜在的なｅＮＢは、自律モードｅＮＢとして予め設定されてもよく、したがって、各ｅＮＢは、自律型ｅＮＢの候補のリストを有する。その結果、各ｅＮＢは、適当なＳ１インターフェースが達成されるまで、そのリストの各々へのＳ１接続を確立しようと試行し得る。このようなアプローチは、災害又は他の切断の場合に、全ての自律型ｅＮＢが損傷を免れ得るとは限らないため、いくらかの冗長性を与える。
【００４３】
動作７１０において、自律モードｅＮＢ７０６は、Ｓ１インターフェースの切断が発生した場合にレジリエントモードネットワークについての自律モードｅＮＢとして動作するように予め設定される。前述されたように、全ての事前設定は、ＯＡＭを用いて実行されてもよい。
【００４４】
動作７１２／７１４において、Ｓ１インターフェースの切断が、それぞれのｅＮＢによって検出される。これは、上記に前述されたように実行され得る。自律モードｅＮＢ７０６が、Ｓ１インターフェースの切断を検出した場合、自律モードｅＮＢ７０６は、レジリエントモードネットワークのＣＮ機能のサブセットを提供することができるように、自律モードに切り替わる。ｅＮＢ１  ７０２及びｅＮＢ２  ７０４が、Ｓ１インターフェース切断を検出した場合、これらは、自律モードｅＮＢを選択する。ｅＮＢ１  ７０２及び７０４は、自律モードｅＮＢ７０６を用いるように予め設定されているため、選択プロセスは、自律モードｅＮＢ７０６についての適当なＳ１  ＴＮＬを、自律モードｅＮＢ７０６が必要とされるＳ１インターフェースを提供することを要求するために必要な任意の他の情報と共に取得することを含む。これらのｅＮＢは予め設定されているため、自律モードｅＮＢ７０６は、そのＳ１  ＴＮＬ及び／又はマスタ優先度をｅＮＢ１  ７０２及びｅＮＢ２  ７０４へ提供する必要がない。
【００４５】
次に、ｅＮＢ１  ７０２及びｅＮＢ２  ７０４は、例示されるようなＳ１セットアップ要求メッセージ７１８及びＳ１セットアップ応答メッセージ７２０において図示されるように、自律モードｅＮＢ７０６との適当なＳ１インターフェース（例えば、Ｓ１−ＭＭＥ及び／又はＳ１−Ｕ）を確立する。Ｓ１セットアップ要求／応答メッセージ（例えば、７１８及び７２０）は、いくつかの実施形態において、ＣＮエンティティ（例えば、ＭＭＥ及び／又はＳＧＷ）とのＳ１インターフェースを確立するために用いられる標準的なＳ１セットアップ要求／応答メッセージである。
【００４６】
Ｓ１インターフェースが確立された後、ネットワークは、動作７２２によって示されるように、レジリエントモードにおいて動作する。
【００４７】
Ｘ２ＡＰ自律能力通知メッセージが、自律モード能力を通知するために使用されない、いくつかの実施形態（例えば、自律モードｅＮＢの選択が、予め設定されているか、又はさもなければ、メッセージ受信に基づかない、上記に議論された実施形態）においては、自律型ｅＮＢが、Ｓ１インターフェースの切断を検出していなくても、自律型ｅＮＢは、常に、ＣＮサービスのサブセットを提供できる状態にある。非自律型ｅＮＢが、そのＳ１インターフェースの切断を検出し、１つ又は複数の自律型ｅＮＢとのＳ１インターフェースを確立しようと試みる状況が発生し得る。このような状況は、例えば、非自律型ｅＮＢと自律型ｅＮＢとが、ＣＮへの異なるＳ１バックホール回線を有し、これらの回線が、異なる時間において上下し得る場合に発生することがある。自律型ｅＮＢを常にＣＮ機能性のサブセットを提供できる状態にしておくことにより、分離されたｅＮＢが機能することが可能になる。
【００４８】
こうした状況において、異なる実施形態の自律モードｅＮＢによって提供されるＣＮ機能性のサブセットは、異なり得る。言い換えれば、自律モードｅＮＢは、依然としてＣＮへのＳ１バックホール接続を有するため、いくつかの実施形態の自律モードｅＮＢは、機能性の付加的なサブセット又は機能性の異なるサブセットを、分離された（非自律型）ｅＮＢへ提供する。したがって、いくつかの実施形態において、自律モードｅＮＢは、非自律型ｅＮＢによる要求時に、Ｓ１インターフェースを確立する。しかしながら、自律型ｅＮＢは、依然としてＣＮへのＳ１接続を有するため、自律型ｅＮＢは、依然としてＣＮに依存して、非自律型ｅＮＢに対していくつかの機能性を提供し得る。例えば、こうした実施形態において、分離されたｅＮＢは、依然としてレジリエントモードネットワークエリア外でＣＮへルーティングされ、ＣＮへの自律型ｅＮＢ接続を超えたパケットを有し得る。他の機能は、いくつかの実施形態において同様に変更され得る。
【００４９】
図８は、コアネットワーク要素（例えば、ＭＭＥ８０６）への接続を再確立し、レジリエントモードにおいて動作することを停止するネットワーク８００の例を表す。この例においては、ＭＭＥ８０６のみが例示されているが、適当なＳＧＷが、同様の手法で動作し得る。
【００５０】
ｅＮＢ（例えば、ｅＮＢ１  ８０２）が、Ｓ１インターフェースが利用可能であることを検出する（例えば、動作８０８）と、ｅＮＢは、レジリエントモードネットワークの一部として動作することからの遷移を行い、通常の動作へ戻る。いくつかの実施形態において、Ｓ１インターフェースが利用可能であることの検出を例示する動作８０８は、ｅＮＢがＣＮ要素（例えば、ＭＭＥ８０６）が利用可能であることを最初に検出する際と同じ手法で実行される。他の実施形態においては、変形された手続きが用いられてもよい。
【００５１】
いったんＳ１インターフェースが利用可能になると、ｅＮＢ１  ８０２は、ＣＮとの適当なＳ１インターフェースを、例えば、Ｓ１セットアップ要求メッセージ８１０を送信し、Ｓ１セットアップ応答メッセージ８１２を受信することなどによって確立する。
【００５２】
この時点で、ｅＮＢ１  ８０２は、通常の動作が可能であり、したがって、動作８１４、Ｓ１切断要求メッセージ８１６及びＳ１切断応答メッセージ８１８に示されるように、ｅＮＢ１  ８０２は、通常の動作へ戻り、自律モードｅＮＢ８０４とのそのＳ１インターフェースを終了させる。Ｓ１切断要求メッセージ８１６及びＳ１切断応答メッセージ８１８は、いくつかの実施形態において、そうした目的のために導入される新たなメッセージであってもよく、又は、そうした目的のために変形された既存のメッセージを使用してもよい。動作８１４及びメッセージ（８１６、８１８）の交換は、任意の順序で実行され得る。
【００５３】
図９は、いくつかの実施形態に係る例示的なシステムのシステムブロック図を例示する。図９は、デバイス９００のブロック図を例示する。このようなデバイスは、例えば、図１〜図８において説明されたｅＮＢ又は自律型ｅＮＢのうちのいずれかなどであり得る。このようなデバイスは、例えば、ＵＥ１０２などのＵＥであってもよい。さらには、このようなデバイスは、コアネットワークエンティティ（ＭＭＥ、ＰＧＷ、ＳＧＷ）であってもよい。説明された特徴（アンテナなど）の全てが、全ての異なるデバイス内に存在するとは限らない。例えば、ＭＭＥ、並びにＳＧＷ及びＰＧＷに、無線通信の必要がない場合、これらは、無線ネットワークのためのアンテナ及び送受信器回路を有しなくてもよい。しかしながら、ＭＭＥ、並びにＳＧＷ及びＰＧＷが、固定電話回線又は他の有線接続を利用する場合、これらは、固定電話回線／有線接続のための送受信器回路を有し得る。
【００５４】
デバイス９００は、プロセッサ９０４と、メモリ９０６と、送受信器９０８と、アンテナ９１０と、命令９１２、９１４と、おそらくは、他の構成要素（図示せず）とを含み得る。
【００５５】
プロセッサ９０４は、１つ若しくは複数の中央処理装置（ＣＰＵ）、グラフィクス処理ユニット（ＧＰＵ）、加速処理ユニット（ＡＰＵ：ａｃｃｅｌｅｒａｔｅｄ  ｐｒｏｃｅｓｓｉｎｇ  ｕｎｉｔ）、又は、これらの様々な組合せを備える。プロセッサ９０４は、処理機能性及び制御機能性をデバイス９００に提供する。
【００５６】
メモリ９０８は、デバイス９００についての命令及びデータを記憶するように構成された、１つ又は複数の一時的なメモリユニット及び／又はスタティックメモリユニットを備える。送受信器９０８は、１つ又は複数の送受信器を備え、１つ又は複数の送受信器は、適当な局又は応答装置のために、多入力多出力（ＭＩＭＯ：ｍｕｌｔｉｐｌｅ−ｉｎｐｕｔ  ａｎｄ  ｍｕｌｔｉｐｌｅ−ｏｕｔｐｕｔ）アンテナを含んで、ＭＩＭＯ通信をサポートする。デバイス９００の場合、送受信器９１２は、送信信号を受信し、送信信号を送信する。送受信器９１２は、アンテナ９１０へ結合され得る。アンテナ９１０は、デバイスに応じて適当に、１つのアンテナ又は複数のアンテナを表す。
【００５７】
命令９１２、９１４は、コンピューティングデバイス（又は機械）上で実行されて、このようなコンピューティングデバイス（又は機械）に、本明細書において議論された方法論の任意のもの、例えば、ｅＮＢ及び自律型ｅＮＢに関連して説明された動作、上記のフロー図等を実行させる、１つ又は複数のセットの命令又はソフトウェアを備える。命令９１２、９１４（コンピュータ実行可能な命令又は機械実行可能な命令とも称される）は、デバイス９００による命令９１２、９１４の実行中に、プロセッサ９０４及び／又はメモリ９０６内に、完全に又は少なくとも部分的に存在し得る。命令９１２及び９１４は、別個のものとして例示されているが、命令９１２及び９１４は、同じものの一部分であってもよい。プロセッサ９０４及びメモリ９０６は、機械読取可能な記憶媒体も備える。プロセッサ、メモリ、命令、送受信器回路等の様々な組合せは、ハードウェア処理回路の代表的な例である。
【００５８】
図９において、処理機能性及び制御機能性は、関連付けられる命令９１２及び９１４と共に、プロセッサ９０４によって提供されるものとして例示されている。しかしながら、これらは、一定の動作を実行するためにソフトウェア又はファームウェアによって一時的に構成される（例えば、汎用プロセッサ又は他のプログラム可能なプロセッサ内に包含される）プログラム可能なロジック又はプログラム可能な回路を備える処理回路の例にすぎない。様々な実施形態において、処理回路は、一定の動作を実行するために（例えば、専用プロセッサ、特定用途向け集積回路（ＡＳＩＣ）、又はアレイ内で）恒久的に構成される専用回路又は専用ロジックを備え得る。処理回路を、専用の恒久的に構成された回路において機械的に実装するか、又は（例えば、ソフトウェアによって構成された）一時的に構成された回路において機械的に実装するかの判定は、例えば、コスト、時間、エネルギー使用量、パッケージサイズ、又は他の検討事項によって行われ得ることが認識されるであろう。
【００５９】
したがって、「処理回路」という用語は、有形の実在物、即ち、一定の手法で動作するように、又は本明細書において説明される一定の動作を実行するように、物理的に構築され、恒久的に構成され（例えば、ハードワイヤードされ）、又は一時的に構成された（例えば、プログラムされた）実在物を包含するものとして理解されるべきである。
【００６０】
本願要約書は、読者が技術的開示の本質及び主旨を確認することを可能にする要約書を要求する米国特許施行規則第１．７２（ｂ）条に準拠するように提供される。本願要約書は、特許請求の範囲の範囲又は意味を限定し又は解釈するためには用いられないという理解の下で提出される。下記の特許請求の範囲は、各請求項がそれ自体別個の実施形態として独立した状態で、詳細な説明内に組み込まれる。
【００６１】
「コンピュータ読取可能な媒体」、「機械読取可能な媒体」等という用語は、１つ又は複数のセットの命令を記憶する単一の媒体又は複数の媒体（例えば、集中データベース若しくは分散データベース、並びに／又は関連付けられたキャッシュ及びサーバ）を含むものとして把握されるべきである。上記用語は、機械による実行のための命令のセットを記憶し、符号化し、又は担持することが可能であって、機械に、本開示の方法論のうちの任意の１つ又は複数を実行させる任意の媒体を含むようにも把握されるべきである。「コンピュータ読取可能な媒体」、「機械読取可能な媒体」という用語は、「コンピュータ記憶媒体」、「機械記憶媒体」等（ソリッドステートメモリ、光媒体及び磁気媒体、又は他の有形のデバイス並びにキャリアを含むが、信号自体、搬送波及び他の無形のソースを除く、有形のソース）と、「コンピュータ通信媒体」、「機械通信媒体」等（信号自体、搬送波信号等を含む、無形のソース）との双方を含むものとして適宜把握されるべきである。
【００６２】
明確にする目的のために、上記説明は、いくつかの実施形態を異なる機能ユニット又はプロセッサを参照しつつ説明していることが認識されるであろう。しかしながら、本発明の実施形態を損なうことなく、異なる機能ユニット、プロセッサ又はドメイン間における機能の任意の適切な分散が用いられ得ることは、明らかであろう。例えば、別個のプロセッサ又はコントローラによって実行されるように例示された機能性は、同じプロセッサ又はコントローラによって実行されてもよい。このため、特定の機能ユニットへの言及は、厳密な論理的又は物理的な構造又は組織を示すものというよりも、説明された機能性を提供するための適切な手段への言及としてみなされるべきものにすぎない。
【００６３】
本発明は、いくつかの実施形態に関連して説明されてきたが、本発明は、本明細書において述べられる特定の形態に限定されることを意図されない。当業者は、説明された実施形態の様々な特徴が本発明に従って組み合わされ得ることを認めるであろう。さらに、様々な変形及び変更は、本発明の範囲から逸脱することなく、当業者によって行われ得ることが認識されるであろう。
【００６４】
下記は、様々な例示的な実施形態を表す。
１．ハードウェア処理回路を備える拡張ノードＢ（ｅＮＢ）であって、上記ハードウェア処理回路が、
コアネットワーク（ＣＮ）への第１のＳ１インターフェースの切断を検出し、
上記ｅＮＢが自律型ｅＮＢであり、上記ＣＮによって提供される能力のサブセットを実装することを通知する第１のメッセージを送信し、
第２のｅＮＢとの第２のＳ１インターフェースを確立し、
上記能力のサブセットを上記第２のｅＮＢへ提供する
ように構成される、ｅＮＢ。
２．例１に記載のｅＮＢであって、上記能力のサブセットが、
ネットワークアクセス制御機能、
パケットルーティング及び転送機能、
セキュリティ機能、又は、
ユーザ機器（ＵＥ）到達可能性手続き
のうちの少なくとも１つを含む、ｅＮＢ。
３．例１又は２に記載のｅＮＢであって、上記第１のメッセージが、
Ｓ１トランスポートネットワーク層（ＴＮＬ）アドレス、又は、
自律型ｅＮＢの役割を担うｅＮＢの優先度を識別するマスタ優先度
のうちの少なくとも１つを含む、ｅＮＢ。
４．例３に記載のｅＮＢであって、上記マスタ優先度が、上記Ｓ１インターフェースが切断される前に予め割り当てられる、ｅＮＢ。
５．例３に記載のｅＮＢであって、上記マスタ優先度が、上記Ｓ１インターフェースが切断された後に算出される、ｅＮＢ。
６．例１又は２に記載のｅＮＢであって、上記ハードウェア処理回路が、
第３のｅＮＢから第２のメッセージを受信するようにさらに構成され、上記第２のメッセージが、
上記第３のｅＮＢのＳ１  ＴＮＬ、又は、
自律型ｅＮＢの役割を担う上記第３のｅＮＢの優先度を識別する、上記第３のｅＮＢのマスタ優先度
のうちの少なくとも１つを含む、ｅＮＢ。
７．例１又は２に記載のｅＮＢであって、上記ハードウェア処理回路が、
上記第１のＳ１インターフェースの回復を検出し、
Ｓ１セットアップ要求メッセージを上記ＣＮへ送信し、
Ｓ１セットアップ応答メッセージを上記ＣＮから受信し、
上記能力のセットを上記第２のｅＮＢへ提供することを停止するようにさらに構成される、ｅＮＢ。
８．例１又は２に記載のｅＮＢであって、上記ハードウェア処理回路が、
上記第１のＳ１インターフェースの回復を検出し
Ｓ１切断メッセージを上記第２のｅＮＢから受信し、
上記第２のｅＮＢとの上記第２のＳ１インターフェースを終了させ、
Ｓ１セットアップ要求メッセージを上記ＣＮへ送信し、
Ｓ１セットアップ応答メッセージを上記ＣＮから受信するようにさらに構成される、ｅＮＢ。
９．ハードウェア処理回路を備える拡張ノードＢ（ｅＮＢ）であって、上記ハードウェア処理回路が、
コアネットワーク（ＣＮ）への第１のＳ１インターフェースの切断を検出し、
上記ｅＮＢが自律型ｅＮＢであり、上記ＣＮによって提供される能力のサブセットを実装することを通知する第１のメッセージを送信し、
第２のｅＮＢが自律型ｅＮＢであることを通知する第２のメッセージを受信し、上記ＣＮによって提供される能力のサブセットを実装し、
上記第１のメッセージの内容及び上記第２のメッセージの内容に基づいて、上記ｅＮＢが上記自律型ｅＮＢの役割を担うべきであるか、又は、上記第２のｅＮＢが上記自律型ｅＮＢの上記役割を担うべきであるかを評価する
ように構成される、ｅＮＢ。
１０．例９に記載のｅＮＢであって、上記ｅＮＢが上記自律型ｅＮＢの上記役割を担うことに応じて、上記処理回路が、
上記第２のｅＮＢとの第２のＳ１インターフェースを確立し、
上記能力のサブセットを上記第２のｅＮＢへ提供するようにさらに構成される、ｅＮＢ。
１１．例９に記載のｅＮＢであって、上記ｅＮＢが上記自律型ｅＮＢの上記役割を担わないことに応じて、上記処理回路が、第３のメッセージを上記第２のｅＮＢへ送信するようにさらに構成され、上記第３のメッセージが、上記第２のｅＮＢとの第２のＳ１インターフェースを確立するための要求を含む、ｅＮＢ。
１２．例９、１０又は１１に記載のｅＮＢであって、上記第１のメッセージが、
上記ｅＮＢのＳ１トランスポートネットワーク層（ＴＮＬ）アドレス、又は、
自律型ｅＮＢの上記役割を担う上記ｅＮＢの優先度を識別するマスタ優先度
のうちの少なくとも１つを含む、ｅＮＢ。
１３．例９、１０又は１１に記載のｅＮＢであって、上記第２のメッセージが、
上記第２のｅＮＢのＳ１トランスポートネットワーク層（ＴＮＬ）アドレス、又は、
自律型ｅＮＢの上記役割を担う上記第２のｅＮＢの優先度を識別するマスタ優先度
のうちの少なくとも１つを含む、ｅＮＢ。
１４．例１２に記載のｅＮＢであって、上記マスタ優先度が、上記Ｓ１インターフェースが切断される前に予め割り当てられる、ｅＮＢ。
１５．例１３に記載のｅＮＢであって、上記マスタ優先度が、上記Ｓ１インターフェースが切断される前に予め割り当てられる、ｅＮＢ。
１６．例１２に記載のｅＮＢであって、上記マスタ優先度が、上記Ｓ１インターフェースが切断された後に算出される、ｅＮＢ。
１７．例１３に記載のｅＮＢであって、上記マスタ優先度が、上記Ｓ１インターフェースが切断された後に算出される、ｅＮＢ。
１８．例９に記載のｅＮＢであって、上記ハードウェア処理回路が、
第３のメッセージであって、
上記第３のｅＮＢのＳ１  ＴＮＬ、又は、
自律型ｅＮＢの上記役割を担う上記第３のｅＮＢの優先度を識別する、上記第３のｅＮＢのマスタ優先度のうちの少なくとも１つを含む第３のメッセージを、上記第３のｅＮＢから受信し、
上記第１のメッセージの内容、上記第２のメッセージの内容、及び上記第３のメッセージの内容に基づいて、上記ｅＮＢが上記自律型ｅＮＢの上記役割を担うべきかを評価するようにさらに構成される、ｅＮＢ。
１９．例９、１０、１１又は１８に記載のｅＮＢであって、上記能力のサブセットが、
ネットワークアクセス制御機能、
パケットルーティング及び転送機能、
セキュリティ機能、又は、
ユーザ機器（ＵＥ）到達可能性手続き
のうちの少なくとも１つを含む、ｅＮＢ。
２０．ハードウェア処理回路を備える拡張ノードＢ（ｅＮＢ）であって、上記ハードウェア処理回路が、
コアネットワーク（ＣＮ）への第１のＳ１インターフェースの切断を検出し、
上記ｅＮＢが自律型ｅＮＢの役割を担うべきかを評価し、
上記自律型ｅＮＢの上記役割を担うことに応じて、上記処理回路を、
少なくとも１つの他のｅＮＢとの第２のＳ１インターフェースを確立し、
上記ＣＮによって提供される機能のサブセットを上記少なくとも１つの他のｅＮＢへ提供するように構成し、
上記自律型ｅＮＢの上記役割を担わないことに応じて、上記処理回路を、
上記自律型ｅＮＢの上記役割を担っているｅＮＢとの第２のＳ１インターフェースを確立し、
上記自律型ｅＮＢに依存して、上記機能のサブセットを提供するように構成する
ように構成される、ｅＮＢ。
２１．例２０に記載のｅＮＢであって、上記処理回路が、
上記ｅＮＢのマスタ優先度と少なくとも１つの他のｅＮＢのマスタ優先度とを比較し、上記自律型ｅＮＢとして、最も高い関連付けられたマスタ優先度を有する上記ｅＮＢを選択するように構成されることによって、上記ｅＮＢが自律型ｅＮＢの上記役割を担うべきかどうかを評価するように構成される、ｅＮＢ。
２２．例２０又は２１に記載のｅＮＢであって、上記機能のサブセットが、
ネットワークアクセス制御機能、
パケットルーティング及び転送機能、
セキュリティ機能、又は、
ユーザ機器（ＵＥ）到達可能性手続き
のうちの少なくとも１つを含む、ｅＮＢ。
２３．例２１に記載のｅＮＢであって、上記少なくとも１つの他のｅＮＢの上記マスタ優先度が、上記ｅＮＢによって算出される、ｅＮＢ。
２４．例２１に記載のｅＮＢであって、上記少なくとも１つの他のｅＮＢの上記マスタ優先度が、上記Ｓ１インターフェースが切断される前に予め割り当てられる、ｅＮＢ。
２５．例２３に記載のｅＮＢであって、上記少なくとも１つの他のｅＮＢの上記マスタ優先度が、上記Ｓ１インターフェースが切断された後に算出される、ｅＮＢ。
２６．ハードウェア処理回路を備える拡張ノードＢ（ｅＮＢ）であって、上記ハードウェア処理回路が、
コアネットワーク（ＣＮ）への第１のＳ１インターフェースの切断を検出し、
自律型ｅＮＢとなるべきｅＮＢを選択し、
上記自律型ｅＮＢとの第２のＳ１インターフェースを確立し、
上記自律型ｅＮＢに依存して、上記ＣＮによって提供される機能のサブセットを提供する
ように構成される、ｅＮＢ。
２７．例２６に記載のｅＮＢであって、上記処理回路が、
上記自律型ｅＮＢとして用いられるべきｅＮＢのＩＤを取得し、
Ｓ１セットアップ要求メッセージを上記自律型ｅＮＢへ送信するように構成されることによって、上記自律型ｅＮＢとなるべき上記ｅＮＢを選択するように構成される、ｅＮＢ。
２８．例２６に記載のｅＮＢであって、上記ハードウェア処理回路が、Ｓ１セットアップ応答メッセージを上記自律型ｅＮＢから受信するようにさらに構成される、ｅＮＢ。
２９．例２６に記載のｅＮＢであって、上記処理回路が、
第２のｅＮＢに対して関連付けられたマスタ優先度を含む第１のメッセージを上記第２のｅＮＢから受信し、
上記第２のｅＮＢを上記自律型ｅＮＢとして用いるために、Ｓ１セットアップ要求メッセージを上記第２のｅＮＢへ送信するように構成されることによって、上記自律型ｅＮＢとなるべき上記ｅＮＢを選択するように構成される、ｅＮＢ。
３０．例２９に記載のｅＮＢであって、上記処理回路が、
第３のｅＮＢに対して関連付けられたマスタ優先度を含む第２のメッセージを上記第３のｅＮＢから受信し、
上記第２のｅＮＢ及び上記第３のｅＮＢのうちで、最も高い関連付けられたマスタ優先度を有するｅＮＢを上記自律型ｅＮＢとして選択し、
Ｓ１セットアップ要求メッセージを上記選択された自律型ｅＮＢへ送信するように構成されることによって、上記自律型ｅＮＢとなるべき上記ｅＮＢを選択するように構成される、ｅＮＢ。
３１．例２６、２７、２８、２９、又は３０に記載のｅＮＢであって、上記ハードウェア処理回路が、
上記ＣＮへの上記第１のＳ１インターフェースが利用可能であることを検出し、
Ｓ１セットアップ要求メッセージを上記ＣＮへ送信し、
Ｓ１切断要求メッセージを上記自律型ｅＮＢへ送信するようにさらに構成される、ｅＮＢ。
３２．拡張ノードＢ（ｅＮＢ）によって行われる方法であって、
コアネットワーク（ＣＮ）への第１のＳ１インターフェースの切断を検出するステップと、
上記ｅＮＢが自律型ｅＮＢであり、上記ＣＮによって提供される能力のサブセットを実装することを通知する第１のメッセージを送信するステップと、
第２のｅＮＢとの第２のＳ１インターフェースを確立するステップと、
上記能力のサブセットを上記第２のｅＮＢへ提供するステップと
を含む、方法。
３３．例３２に記載の方法であって、上記能力のサブセットが、
ネットワークアクセス制御機能、
パケットルーティング及び転送機能、
セキュリティ機能、又は、
ユーザ機器（ＵＥ）到達可能性手続き
のうちの少なくとも１つを含む、方法。
３４．例３２又は３３に記載の方法であって、上記第１のメッセージが、
Ｓ１トランスポートネットワーク層（ＴＮＬ）アドレス、又は、
自律型ｅＮＢの役割を担う上記ｅＮＢの優先度を識別するマスタ優先度
のうちの少なくとも１つを含む、方法。
３５．例３４に記載の方法であって、上記マスタ優先度が、上記Ｓ１インターフェースが切断される前に予め割り当てられる、方法。
３６．例３４に記載の方法であって、上記マスタ優先度が、上記Ｓ１インターフェースが切断された後に算出される、方法。
３７．例３２又は３３に記載の方法であって、
第２のメッセージを第３のｅＮＢから受信するステップであって、上記第２のメッセージが、
上記第３のｅＮＢのＳ１  ＴＮＬ、又は、
自律型ｅＮＢの上記役割を担う上記第３のｅＮＢの優先度を識別する、上記第３のｅＮＢのマスタ優先度
のうちの少なくとも１つを含む、受信するステップ
をさらに含む、方法。
３８．例３２又は３３に記載の方法であって、
上記第１のＳ１インターフェースの回復を検出するステップと、
Ｓ１セットアップ要求メッセージを上記ＣＮへ送信するステップと、
Ｓ１セットアップ応答メッセージを上記ＣＮから受信するステップと、
上記能力のサブセットを上記第２のｅＮＢへ提供することを停止するステップと
をさらに含む、方法。
３９．例３２又は３３に記載の方法であって、
上記第１のＳ１インターフェースの回復を検出するステップと、
Ｓ１切断メッセージを上記第２のｅＮＢから受信するステップと、
上記第２のｅＮＢとの上記第２のＳ１インターフェースを終了させるステップと、
Ｓ１セットアップ要求メッセージを上記ＣＮへ送信するステップと、
Ｓ１セットアップ応答メッセージを上記ＣＮから受信するステップと
をさらに含む、方法。
４０．拡張ノードＢ（ｅＮＢ）によって行われる方法であって、
コアネットワーク（ＣＮ）への第１のＳ１インターフェースの切断を検出するステップと、
上記ｅＮＢが自律型ｅＮＢであり、上記ＣＮによって提供される能力のサブセットを実装することを通知する第１のメッセージを送信するステップと、
第２のｅＮＢが自律型ｅＮＢであり、上記ＣＮによって提供される能力のサブセットを実装することを通知する第２のメッセージを受信するステップと、
上記第１のメッセージの内容及び上記第２のメッセージの内容に基づいて、上記ｅＮＢが上記自律型ｅＮＢの役割を担うべきか、又は上記第２のｅＮＢが上記自律型ｅＮＢの上記役割を担うべきかを評価するステップと
を含む、方法。
４１．例４０に記載の方法であって、上記ｅＮＢが上記自律型ｅＮＢの上記役割を担うことに応じて、上記方法が、
上記第２のｅＮＢへの第２のＳ１インターフェースを確立するステップと、
上記能力のセットを上記第２のｅＮＢへ提供するステップと
をさらに含む、方法。
４２．例４０に記載の方法であって、上記ｅＮＢが上記自律型ｅＮＢの上記役割を担わないことに応じて、上記方法が、第３のメッセージを上記第２のｅＮＢへ送信するステップをさらに含み、上記第３のメッセージが、上記第２のｅＮＢとの第２のＳ１インターフェースを確立するための要求を含む、方法。
４３．例４０、４１又は４２に記載の方法であって、上記第１のメッセージが、
上記ｅＮＢのＳ１トランスポートネットワーク層（ＴＮＬ）アドレス、又は、
自律型ｅＮＢの上記役割を担う上記ｅＮＢの優先度を識別するマスタ優先度
のうちの少なくとも１つを含む、方法。
４４．例４０、４１又は４２に記載の方法であって、上記第２のメッセージが、
上記第２のｅＮＢのＳ１トランスポートネットワーク層（ＴＮＬ）アドレス、又は、
自律型ｅＮＢの上記役割を担う上記第２のｅＮＢの優先度を識別するマスタ優先度
のうちの少なくとも１つを含む、方法。
４５．例４３に記載の方法であって、上記マスタ優先度が、上記Ｓ１インターフェースが切断される前に予め割り当てられる、方法。
４６．例４４に記載の方法であって、上記マスタ優先度が、上記Ｓ１インターフェースが切断される前に予め割り当てられる、方法。
４７．例４３に記載の方法であって、上記マスタ優先度が、上記Ｓ１インターフェースが切断された後に算出される、方法。
４８．例４４に記載の方法であって、上記マスタ優先度が、上記Ｓ１インターフェースが切断された後に算出される、方法。
４９．例４０に記載の方法であって、
第３のメッセージを第３のｅＮＢから受信するステップであって、上記第３のメッセージが、
上記第３のｅＮＢのＳ１  ＴＮＬ、又は、
自律型ｅＮＢの上記役割を担う上記第３のｅＮＢの優先度を識別する、上記第３のｅＮＢのマスタ優先度
のうちの少なくとも１つを含む、受信するステップと、
上記第１のメッセージの内容、上記第２のメッセージの内容、及び上記第３のメッセージの内容に基づいて、上記ｅＮＢが上記自律型ｅＮＢの上記役割を担うべきかを評価するステップと
をさらに含む、方法。
５０．例４０、４１、４２又は４９に記載のコンピュータ記憶媒体であって、上記能力のサブセットが、
ネットワークアクセス制御機能、
パケットルーティング及び転送機能、
セキュリティ機能、又は、
ユーザ機器（ＵＥ）到達可能性手続き
のうちの少なくとも１つを含む、コンピュータ記憶媒体。
５１．拡張ノードＢ（ｅＮＢ）によって行われる方法であって、
コアネットワーク（ＣＮ）への第１のＳ１インターフェースの切断を検出するステップと、
上記ｅＮＢが自律型ｅＮＢの役割を担うべきかを評価するステップと、
上記自律型ｅＮＢの上記役割を担うことに応じて、
少なくとも１つの他のｅＮＢとの第２のＳ１インターフェースを確立するステップと、
上記ＣＮによって提供される機能のサブセットを上記少なくとも１つの他のｅＮＢへ提供するステップと、
上記自律型ｅＮＢの上記役割を担わないことに応じて、
上記自律型ｅＮＢの上記役割を担っているｅＮＢとの第２のＳ１インターフェースを確立するステップと、
上記自律型ｅＮＢに依存して、上記機能のサブセットを提供するステップと
を含む、方法。
５２．例５１に記載の方法であって、方法が、
上記ｅＮＢのマスタ優先度と少なくとも１つの他のｅＮＢのマスタ優先度とを比較し、上記自律型ｅＮＢとして、最も高い関連付けられたマスタ優先度を有する上記ｅＮＢを選択するステップ
を含む動作を実行することによって、上記ｅＮＢが自律型ｅＮＢの上記役割を担うべきかを評価する、方法。
５３．例５１又は５２に記載の方法であって、上記機能のサブセットが、
ネットワークアクセス制御機能、
パケットルーティング及び転送機能、
セキュリティ機能、又は、
ユーザ機器（ＵＥ）到達可能性手続き
のうちの少なくとも１つを含む、方法。
５４．例５２に記載の方法であって、上記少なくとも１つの他のｅＮＢの上記マスタ優先度が、上記ｅＮＢによって算出される、方法。
５５．例５２に記載の方法であって、上記少なくとも１つの他のｅＮＢの上記マスタ優先度が、上記Ｓ１インターフェースが切断される前に予め割り当てられる、方法。
５６．例５４に記載の方法であって、上記少なくとも１つの他のｅＮＢの上記マスタ優先度が、上記Ｓ１インターフェースが切断された後に算出される、方法。
５７．拡張ノードＢ（ｅＮＢ）によって行われる方法であって、
コアネットワーク（ＣＮ）への第１のＳ１インターフェースの切断を検出するステップと、
自律型ｅＮＢとなるべきｅＮＢを選択するステップと、
上記自律型ｅＮＢとの第２のＳ１インターフェースを確立するステップと、
上記自律型ｅＮＢに依存して、上記ＣＮによって提供される機能のサブセットを提供するステップと
を含む、方法。
５８．例５７に記載の方法であって、上記自律型ｅＮＢとなるべき上記ｅＮＢを選択するステップが、
上記自律型ｅＮＢとして用いられるべきｅＮＢのＩＤを取得するステップと、
Ｓ１セットアップ要求メッセージを上記自律型ｅＮＢへ送信するステップと
を含む動作を実行することによって行われる、方法。
５９．例５７に記載の方法であって、Ｓ１セットアップ応答メッセージを上記自律型ｅＮＢから受信するステップをさらに含む、方法。
６０．例５７に記載の方法であって、上記自律型ｅＮＢとなるべき上記ｅＮＢを選択するステップが、
第２のｅＮＢに対して関連付けられたマスタ優先度を含む第１のメッセージを上記第２のｅＮＢから受信するステップと、
上記第２のｅＮＢを上記自律型ｅＮＢとして用いるために、Ｓ１セットアップ要求メッセージを上記第２のｅＮＢへ送信するステップと
を含む動作を実行することによって行われる、方法。
６１．例６０に記載の方法であって、上記自律型ｅＮＢとなるべき上記ｅＮＢを選択するステップが、
第３のｅＮＢに対して関連付けられたマスタ優先度を含む第２のメッセージを上記第３のｅＮＢから受信するステップと、
上記第２のｅＮＢ及び上記第３のｅＮＢのうちで、最も高い関連付けられたマスタ優先度を有するｅＮＢを上記自律型ｅＮＢとして選択するステップと、
Ｓ１セットアップ要求メッセージを上記選択された自律型ｅＮＢへ送信するステップと
を含む動作を実行することによって行われる、方法。
６２．例５７、５８、５９、６０、又は６１に記載の方法であって、
上記ＣＮへの上記第１のＳ１インターフェースが利用可能であることを検出するステップと、
Ｓ１セットアップ要求メッセージを上記ＣＮへ送信するステップと、
Ｓ１切断要求メッセージを上記自律型ｅＮＢへ送信するステップと
をさらに含む、方法。
６３．コンピュータ実行可能な命令を含むコンピュータ記憶媒体であって、上記コンピュータ実行可能な命令は、実行されると、デバイスが、
コアネットワーク（ＣＮ）への第１のＳ１インターフェースの切断を検出し、
上記ｅＮＢが自律型ｅＮＢであり、上記ＣＮによって提供される能力のサブセットを実装することを通知する第１のメッセージを送信し、
第２のｅＮＢとの第２のＳ１インターフェースを確立し、
上記能力のサブセットを上記第２のｅＮＢへ提供する
ようにデバイスを構成する、コンピュータ記憶媒体。
６４．例６３に記載のコンピュータ記憶媒体であって、上記能力のサブセットが、
ネットワークアクセス制御機能、
パケットルーティング及び転送機能、
セキュリティ機能、又は、
ユーザ機器（ＵＥ）到達可能性手続き
のうちの少なくとも１つを含む、コンピュータ記憶媒体。
６５．例６３又は６４に記載のコンピュータ記憶媒体であって、上記第１のメッセージが、
Ｓ１トランスポートネットワーク層（ＴＮＬ）アドレス、又は、
自律型ｅＮＢの役割を担う上記ｅＮＢの優先度を識別するマスタ優先度
のうちの少なくとも１つを含む、コンピュータ記憶媒体。
６６．例６５に記載のコンピュータ記憶媒体であって、上記マスタ優先度が、上記Ｓ１インターフェースが切断される前に予め割り当てられる、コンピュータ記憶媒体。
６７．例６５に記載のコンピュータ記憶媒体であって、上記マスタ優先度が、上記Ｓ１インターフェースが切断された後に算出される、コンピュータ記憶媒体。
６８．例６３又は６４に記載のコンピュータ記憶媒体であって、上記実行可能な命令は、上記デバイスが、
第２のメッセージであって、
第３のｅＮＢのＳ１  ＴＮＬ、又は、
自律型ｅＮＢの役割を担う上記第３のｅＮＢの優先度を識別する、上記第３のｅＮＢのマスタ優先度
のうちの少なくとも１つを含む、第２のメッセージを上記第３のｅＮＢから受信する
ように上記デバイスをさらに構成する、コンピュータ記憶媒体。
６９．例６３又は６４に記載のコンピュータ記憶媒体であって、上記実行可能な命令は、上記デバイスが、
上記第１のＳ１インターフェースの回復を検出し、
Ｓ１セットアップ要求メッセージを上記ＣＮへ送信し、
Ｓ１セットアップ応答メッセージを上記ＣＮから受信し、
上記能力のサブセットを上記第２のｅＮＢへ提供することを停止する
ように上記デバイスをさらに構成する、コンピュータ記憶媒体。
７０．例６３又は６４に記載のコンピュータ記憶媒体であって、上記実行可能な命令は、上記デバイスが、
上記第１のＳ１インターフェースの回復を検出し、
Ｓ１切断メッセージを上記第２のｅＮＢから受信し、
上記第２のｅＮＢとの上記第２のＳ１インターフェースを終了させ、
Ｓ１セットアップ要求メッセージを上記ＣＮへ送信し、
Ｓ１セットアップ応答メッセージを上記ＣＮから受信する
ように上記デバイスをさらに構成する、コンピュータ記憶媒体。
７１．コンピュータ実行可能な命令を含むコンピュータ記憶媒体であって、上記コンピュータ実行可能な命令は、実行されると、デバイスが、
コアネットワーク（ＣＮ）への第１のＳ１インターフェースの切断を検出し、
上記ｅＮＢが自律型ｅＮＢであり、上記ＣＮによって提供される能力のサブセットを実装することを通知する第１のメッセージを送信し、
第２のｅＮＢが自律型ｅＮＢであり、上記ＣＮによって提供される能力のサブセットを実装することを通知する第２のメッセージを受信し、
上記第１のメッセージの内容及び上記第２のメッセージの内容に基づいて、上記ｅＮＢが上記自律型ｅＮＢの役割を担うべきか、又は上記第２のｅＮＢが上記自律型ｅＮＢの上記役割を担うべきかを評価する
ようにデバイスを構成する、コンピュータ記憶媒体。
７２．例７１に記載のコンピュータ記憶媒体であって、上記ｅＮＢが上記自律型ｅＮＢの上記役割を担うことに応じて、上記実行可能な命令が、
上記第２のｅＮＢとの第２のＳ１インターフェースを確立し、
上記能力のサブセットを上記第２のｅＮＢへ提供する
ように上記デバイスをさらに構成する、コンピュータ記憶媒体。
７３．例７１に記載のコンピュータ記憶媒体であって、上記ｅＮＢが上記自律型ｅＮＢの上記役割を担わないことに応じて、上記実行可能な命令が、第３のメッセージを上記第２のｅＮＢへ送信するように上記デバイスをさらに構成し、上記第３のメッセージは、上記第２のｅＮＢとの第２のＳ１インターフェースを確立するための要求を含む、コンピュータ記憶媒体。
７４．例７１、７２又は７３に記載のｅＮＢであって、上記第１のメッセージが、
上記ｅＮＢのＳ１トランスポートネットワーク層（ＴＮＬ）アドレス、又は、
自律型ｅＮＢの上記役割を担う上記ｅＮＢの優先度を識別するマスタ優先度
のうちの少なくとも１つを含む、ｅＮＢ。
７５．例７１、７２又は７３に記載のｅＮＢであって、上記第２のメッセージが、
上記第２のｅＮＢのＳ１トランスポートネットワーク層（ＴＮＬ）アドレス、又は、
自律型ｅＮＢの上記役割を担う上記第２のｅＮＢの優先度を識別するマスタ優先度
のうちの少なくとも１つを含む、ｅＮＢ。
７６．例７４に記載のコンピュータ記憶媒体であって、上記マスタ優先度が、上記Ｓ１インターフェースが切断される前に予め割り当てられる、コンピュータ記憶媒体。
７７．例７５に記載のコンピュータ記憶媒体であって、上記マスタ優先度が、上記Ｓ１インターフェースが切断される前に予め割り当てられる、コンピュータ記憶媒体。
７８．例７４に記載のコンピュータ記憶媒体であって、上記マスタ優先度が、上記Ｓ１インターフェースが切断された後に算出される、コンピュータ記憶媒体。
７９．例７５に記載のコンピュータ記憶媒体であって、上記マスタ優先度が、上記Ｓ１インターフェースが切断された後に算出される、コンピュータ記憶媒体。
８０．例７１に記載のコンピュータ記憶媒体であって、上記実行可能な命令は、上記デバイスが、
第３のメッセージであって、
第３のｅＮＢのＳ１  ＴＮＬ、又は、
自律型ｅＮＢの上記役割を担う上記第３のｅＮＢの優先度を識別する、上記第３のｅＮＢのマスタ優先度
のうちの少なくとも１つを含む第３のメッセージを上記第３のｅＮＢから受信し、
上記第１のメッセージの内容、上記第２のメッセージの内容、及び上記第３のメッセージの内容に基づいて、上記ｅＮＢが上記自律型ｅＮＢの上記役割を担うべきかを評価する
ように上記デバイスをさらに構成する、コンピュータ記憶媒体。
８１．例７１、７２、７３又は８０に記載のコンピュータ記憶媒体であって、上記能力のサブセットが、
ネットワークアクセス制御機能、
パケットルーティング及び転送機能、
セキュリティ機能、又は、
ユーザ機器（ＵＥ）到達可能性手続き
のうちの少なくとも１つを含む、コンピュータ記憶媒体。
８２．コンピュータ実行可能な命令を含むコンピュータ記憶媒体であって、上記コンピュータ実行可能な命令は、実行されると、デバイスが、
コアネットワーク（ＣＮ）への第１のＳ１インターフェースの切断を検出し、
上記ｅＮＢが自律型ｅＮＢの役割を担うべきかを評価し、
上記自律型ｅＮＢの上記役割を担うことに応じて、
少なくとも１つの他のｅＮＢとの第２のＳ１インターフェースを確立し、
上記ＣＮによって提供される機能のサブセットを上記少なくとも１つの他のｅＮＢへ提供する
ように上記処理回路を構成し、
上記自律型ｅＮＢの上記役割を担わないことに応じて、
上記自律型ｅＮＢの上記役割を担っているｅＮＢとの第２のＳ１インターフェースを確立し、
上記自律型ｅＮＢに依存して、上記機能のサブセットを提供する
ように上記処理回路を構成する
ようにデバイスを構成する、コンピュータ記憶媒体。
８３．例８２に記載のコンピュータ記憶媒体であって、上記処理回路が、
上記ｅＮＢのマスタ優先度と少なくとも１つの他のｅＮＢのマスタ優先度とを比較し、上記自律型ｅＮＢとして、最も高い関連付けられたマスタ優先度を有する上記ｅＮＢを選択する
ように構成されることによって、上記ｅＮＢが自律型ｅＮＢの上記役割を担うべきかを評価するように構成される、コンピュータ記憶媒体。
８４．例８２又は８３に記載のコンピュータ記憶媒体であって、上記機能のサブセットが、
ネットワークアクセス制御機能、
パケットルーティング及び転送機能、
セキュリティ機能、又は、
ユーザ機器（ＵＥ）到達可能性手続き
のうちの少なくとも１つを含む、コンピュータ記憶媒体。
８５．例８３に記載のｅＮＢであって、上記少なくとも１つの他のｅＮＢの上記マスタ優先度が、上記ｅＮＢによって算出される、ｅＮＢ。
８６．例８３に記載のコンピュータ記憶媒体であって、上記少なくとも１つの他のｅＮＢの上記マスタ優先度が、上記Ｓ１インターフェースが切断される前に予め割り当てられる、コンピュータ記憶媒体。
８７．例８５に記載のコンピュータ記憶媒体であって、上記少なくとも１つの他のｅＮＢの上記マスタ優先度が、上記Ｓ１インターフェースが切断された後に算出される、コンピュータ記憶媒体。
８８．コンピュータ実行可能な命令を含むコンピュータ記憶媒体であって、上記コンピュータ実行可能な命令は、実行されると、デバイスが、
コアネットワーク（ＣＮ）への第１のＳ１インターフェースの切断を検出し、
自律型ｅＮＢとなるべきｅＮＢを選択し、
上記自律型ｅＮＢとの第２のＳ１インターフェースを確立し、
上記自律型ｅＮＢに依存して、上記ＣＮによって提供される機能のサブセットを提供する
ようにデバイスを構成する、コンピュータ記憶媒体。
８９．例８８に記載のコンピュータ記憶媒体であって、上記処理回路が、
上記自律型ｅＮＢとして用いられるべきｅＮＢのＩＤを取得し、
Ｓ１セットアップ要求メッセージを上記自律型ｅＮＢへ送信する
ように構成されることによって、上記自律型ｅＮＢとなるべき上記ｅＮＢを選択するように構成される、コンピュータ記憶媒体。
９０．例８８に記載のコンピュータ記憶媒体であって、上記実行可能な命令が、Ｓ１セットアップ応答メッセージを上記自律型ｅＮＢから受信するように上記デバイスをさらに構成する、コンピュータ記憶媒体。
９１．例８８に記載のコンピュータ記憶媒体であって、上記処理回路が、
第２のｅＮＢに対して関連付けられたマスタ優先度を含む第１のメッセージを上記第２のｅＮＢから受信し、
上記第２のｅＮＢを上記自律型ｅＮＢとして用いるために、Ｓ１セットアップ要求メッセージを上記第２のｅＮＢへ送信する
ように構成されることによって、上記自律型ｅＮＢとなるべき上記ｅＮＢを選択するように構成される、コンピュータ記憶媒体。
９２．例９１に記載のコンピュータ記憶媒体であって、上記処理回路が、
第３のｅＮＢに対して関連付けられたマスタ優先度を含む第２のメッセージを上記第３のｅＮＢから受信し、
上記第２のｅＮＢ及び上記第３のｅＮＢのうちで、最も高い関連付けられたマスタ優先度を有するｅＮＢを上記自律型ｅＮＢとして選択し、
Ｓ１セットアップ要求メッセージを上記選択された自律型ｅＮＢへ送信する
ように構成されることによって、上記自律型ｅＮＢとなるべき上記ｅＮＢを選択するように構成される、コンピュータ記憶媒体。
９３．例８８、８９、９０、９１、又は９２に記載のコンピュータ記憶媒体であって、上記実行可能な命令は、上記デバイスが、
上記ＣＮへの上記第１のＳ１インターフェースが利用可能であることを検出し、
Ｓ１セットアップ要求メッセージを上記ＣＮへ送信し、
Ｓ１切断要求メッセージを上記自律型ｅＮＢへ送信する
ように上記デバイスをさらに構成する、コンピュータ記憶媒体。
９４．デバイスであって、
少なくとも１つのアンテナと、
上記少なくとも１つのアンテナに対して結合される送受信器回路と、
メモリと、
上記メモリ及び上記送受信器回路に対して結合されるプロセッサと、
上記メモリ内に記憶される命令とを備え、上記命令は、実行されると、上記プロセッサに、
コアネットワーク（ＣＮ）への第１のＳ１インターフェースの切断を検出させ、
上記ｅＮＢが自律型ｅＮＢであり、上記ＣＮによって提供される能力のサブセットを実装することを通知する第１のメッセージを送信させ、  第２のｅＮＢとの第２のＳ１インターフェースを確立させ、
上記能力のサブセットを上記第２のｅＮＢへ提供させる、デバイス。
９５．例９４に記載のデバイスであって、上記命令が実行されると、上記命令は、上記プロセッサにさらに、
上記ＣＮとの第３のＳ１インターフェースが利用可能であることを検出させ、
上記ＣＮとの上記第３のＳ１インターフェースを確立させ、
上記第２のｅＮＢとの上記第２のＳ１インターフェースを終了させる、デバイス。
【図１】
0006280658.tif 000002
【図２】
0006280658.tif 000003
【図３】
0006280658.tif 000004
【図４】
0006280658.tif 000005
【図５】
0006280658.tif 000006
【図６】
0006280658.tif 000007
【図７】
0006280658.tif 000008
【図８】
0006280658.tif 000009
【図９】
0006280658.tif 000010